(57)【要約】【課題】より好適に煙の浄化処理を行うことを可能とする分煙装置を提供することである。【解決手段】分煙装置１０は、上部吸込口２０２を有する本体部２０と、本体部２０の内部に設けられ、空気中に浮遊する煙草の煙を上部吸込口２０２から吸引する送風部２０６と、上部吸込口２０２を含む所定の範囲の空間領域２０２ａ内に所定の意匠を表示させるようにレーザー光を照射するレーザー光源部５０と、を備える。【選択図】図１
2012189234.tif 000002
【特許請求の範囲】
【請求項１】
吸込口を有する本体部と、
前記本体部の内部に設けられ、空気中に浮遊する煙草の煙を前記吸込口から吸引する吸引部と、
前記吸込口を含む所定の範囲の空間領域内に所定の意匠を表示させるように前記レーザー光を照射する光源部と、
を備えることを特徴とする分煙装置。
【請求項２】
請求項１に記載の分煙装置において、
前記吸込口は、
前記本体部の表面部から陥没した領域に設けられることを特徴とする分煙装置。
【請求項３】
請求項２に記載の分煙装置において、
前記陥没した領域を覆うスリット付きカバーを備えることを特徴とする分煙装置。
【請求項４】
請求項１から請求項３のいずれか１に記載の分煙装置において、
前記煙を検知する煙センサを備え、
前記光源部は、
前記煙センサによって前記煙が検知されたときに、前記意匠を表示することを特徴とする分煙装置。
【請求項５】
請求項１から請求項３のいずれか１に記載の分煙装置において、
前記煙を検知する煙センサを備え、
前記光源部は、
前記煙センサによって前記煙が検知されたときに、前記意匠の内容を変更して表示することを特徴とする分煙装置。
【請求項６】
請求項１から請求項５のいずれか１に記載の分煙装置において、
前記意匠は、色彩を含むことを特徴とする分煙装置。
【請求項７】
請求項１から請求項６のいずれか１に記載の分煙装置において、
前記意匠は、形状を含むことを特徴とする分煙装置。
【請求項８】
請求項１から請求項７のいずれか１に記載の分煙装置において、
前記意匠は、模様を含むことを特徴とする分煙装置。
【発明の詳細な説明】
【技術分野】
【０００１】
本発明は、分煙装置に関する。
【背景技術】
【０００２】
喫煙は、喫煙者本人だけでなく、周囲の人の受動喫煙も問題となる。したがって、近年、喫煙可能なスペースが区画されて、このような喫煙スペース内においてのみ喫煙可能な施設等が増加している。そして、当該喫煙スペース内において、さらに、分煙機を設置して煙草の煙を浄化処理することが望まれている。
【０００３】
本発明に関する技術として、例えば、特許文献１には、キャスター付きの可動台に、煙草の煙を吸引排出するとともにそれを分解・除去ないし吸着する空気清浄化装置が内蔵されるケースを台本体として具備する構成が開示されている。さらに、この台本体ケースに、灰皿配置用の喫煙テーブルを載置するほか、中央に空洞の支柱を立設することにより喫煙テーブルの上方を覆う中央に高いパラソル状の排煙カバーを該支柱を介して設け、喫煙テーブルの中央部に喫煙テーブルの下をその上で揺らぐ煙の集煙室としてそれへの下部吸煙口を配設する構成が開示されている。一方、排煙カバーの高い内側中央部に、支柱内の空洞を昇り煙の集煙ダクトとしてそれへの上部吸煙口を配設し、台本体ケース内には、集煙室および集煙ダクトへ吸引排気ファンの吸引力が及ぶ空気浄化装置を設け、下部に押出力が及ぶ浄化排気口を設けたことが開示されている。
【０００４】
本発明に関する別の技術として、例えば、特許文献２には、下テーブルと上テーブルの間に喫煙用の吸込グリルを設け、前記下テーブルの下部に箱体を形成する外郭を設け、前記外郭の内部には吸込用エアチャンバーと吹出用エアチャンバーを形成する隔壁を設け、前記吸込用エアチャンバーには電動機とファンとエアフィルターを備えた空気清浄機を配設し、前記外郭の前記吹出用エアチャンバー部分には排気口を設けた喫煙テーブルが開示されている。
【先行技術文献】
【特許文献】
【０００５】
【特許文献１】特開２０１０−７１５５１号公報
【特許文献２】特開平６−２０５７０９号公報
【発明の概要】
【発明が解決しようとする課題】
【０００６】
ところで、喫煙スペース内において、分煙機を設置した場合であっても、喫煙者が分煙機の吸込口に向かって煙を吹きつけないと効率よく煙を収集することができず、好適に煙の浄化処理を行うことができない。
【０００７】
本発明の目的は、より好適に煙の浄化処理を行うことを可能とする分煙装置を提供することである。
【課題を解決するための手段】
【０００８】
本発明に係る分煙装置は、吸込口を有する本体部と、前記本体部の内部に設けられ、空気中に浮遊する煙草の煙を前記吸込口から吸引する吸引部と、前記吸込口を含む所定の範囲の空間領域内に所定の意匠を表示させるように前記レーザー光を照射する光源部と、を備えることを特徴とする。
【０００９】
また、本発明に係る分煙装置において、前記吸込口は、前記本体部の表面部から陥没した領域に設けられることが好ましい。
【００１０】
また、本発明に係る分煙装置において、前記陥没した領域を覆うスリット付きカバーを備えることが好ましい。
【００１１】
また、本発明に係る分煙装置において、前記煙を検知する煙センサを備え、前記光源部は、前記煙センサによって前記煙が検知されたときに、前記意匠を表示することが好ましい。
【００１２】
また、本発明に係る分煙装置において、前記煙を検知する煙センサを備え、前記光源部は、前記煙センサによって前記煙が検知されたときに、前記意匠の内容を変更して表示することが好ましい。
【００１３】
また、本発明に係る分煙装置において、前記意匠は、色彩を含むことが好ましい。
【００１４】
また、本発明に係る分煙装置において、前記意匠は、形状を含むことが好ましい。
【００１５】
また、本発明に係る分煙装置において、前記意匠は、模様を含むことが好ましい。
【発明の効果】
【００１６】
上記構成によれば、所定の範囲の空間領域内を流れる煙の微粒子にレーザー光が反射して、当該レーザー光が作り出す意匠が変化する。これにより、喫煙者がこのような意匠の変化を楽しむために、吸込口付近に向かって煙を吹きかけることを誘起させることができる。したがって、効率よく煙を収集することができ、より好適に煙の浄化処理を行うことができる。
【図面の簡単な説明】
【００１７】
【図１】本発明に係る実施の形態において、分煙装置の斜視図である。
【図２】本発明に係る実施の形態において、分煙装置の概略構成図である。
【図３】本発明に係る実施の形態において、所定の空間領域内に「タバコ」の意匠が表示された様子を示す図である。
【図４】本発明に係る実施の形態において、分煙装置の斜視図である。
【図５】本発明に係る実施の形態において、分煙装置の概略構成図である。
【発明を実施するための形態】
【００１８】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１９】
図１は、分煙装置１０の斜視図である。図２は、分煙装置１０の概略構成図である。分煙装置１０は、本体部２０と、枠部材３０と、枠部材３０に取り付けられる煙センサ４０とレーザー光源部５０とを備える。分煙装置１０は、喫煙者８が煙草９を吸った際に吐き出す煙を吸い込んで浄化処理を行う機能を有する。
【００２０】
本体部２０は、上部吸込口２０２と、空気清浄部２０４と、送風部２０６と、下部吹出口２０８と、キャスター２１０とを有する。
【００２１】
上部吸込口２０２は、本体部２０の上部表面のほぼ中央部に設けられる網目状の開口部である。上部吸込口２０２は、送風部２０６が作動した際に、上部吸込口２０２の上方から空気や煙草の煙等を本体部２０の内部に取り込むための開口部である。
【００２２】
空気清浄部２０４は、送風部２０６が作動した際に、上部吸込口２０２から取り込まれた煙草の煙に含まれる微粒子等を取り除く等の浄化処理を行う機能を有する。空気清浄部２０４は、例えば、フィルターを用いて濾過する方式であってもよく、静電気力を用いて集塵する電気集塵式であってもよく、両者を併せたものであってもよい。空気清浄部２０４は、本体部２０の内部のうち、上部吸込口２０２の近傍に設けられている。
【００２３】
送風部２０６は、上部吸込口２０２から空気や煙草の煙等を本体部２０の内部に取り込むために吸引し、その後空気清浄部２０４によって浄化された空気等を下部吹出口２０８から吹出すために作動するファンである。送風部２０６は、下部吹出口２０８の近傍に設けられている。
【００２４】
下部吹出口２０８は、本体部２０の下部裏面のほぼ中央部に設けられる網目状の開口部である。下部吹出口２０８は、送風部２０６が作動した際に、空気清浄部２０４によって浄化された空気等を本体部２０の外部に排出するための開口部である。
【００２５】
キャスター２１０は、本体部２０の下部に設けられ、分煙装置１０を移動可能とする車輪部材である。
【００２６】
枠部材３０は、本体部２０の上部表面から上側に向かって突出して設けられる枠体である。そして、枠部材３０の上側部材３０２の底面３０２ａには、煙センサ４０とレーザー光源部５０が上側部材３０２にぶら下がるように取り付けられている。
【００２７】
煙センサ４０は、上部吸込口２０２を含む所定の空間領域２０２ａの近傍に煙草の煙が存在するか否かを判断する機能を有する。
【００２８】
レーザー光源部５０は、煙センサ４０が煙草の煙を検知したときに、本体部２０の上方から上部吸込口２０２に向かってレーザー光を照射する機能を有する。具体的には、レーザー光源部５０によって照射された光が空間領域２０２ａに、予め設定されたデータに基づいたレーザー光を空気の粉塵や煙の微粒子等に照射することで意匠を表示する。ここで、空間領域２０２ａは、例えば、上部吸込口２０２の長さが、縦が３０ｃｍで横が６０ｃｍである場合に、その高さを４０ｃｍとした直方体形状を有している。もちろん、これの数値は、単なる例示であって適宜変更が可能である。また、意匠とは、形状・模様・色彩又はこれらの結合をいい、例えば、「タバコ」の赤色の文字で表された形状を有している。なお、レーザー光源部５０は、煙センサ４０が煙を検知したときのみにレーザー光を照射するものとして説明したが、常時レーザー光を照射してもよい。また、レーザー光源部５０は、煙センサ４０が煙を検知していないときは「タバコ」の文字は緑色で表示し、煙センサ４０が煙を検知したときに「タバコ」の文字を赤色へと変更する等のように意匠を変更してもよい。
【００２９】
続いて、上記構成の分煙装置１０の作用について説明する。分煙装置１０において、喫煙者８が煙草９を吸った際に吐き出す煙が空間領域２０２ａの近傍に存在することが検知されたときに、レーザー光源部５０のレーザー光が所定の空間領域２０２ａの空気の粉塵や煙の微粒子等に照射されて、図３に示されるように、空間領域２０２ａには、例えば、「タバコ」の文字を表示する所定の形状と赤色の色彩とを有する意匠が表示される。
【００３０】
そして、空間領域２０２ａ内の空気や煙草の煙は、送風部２０６の作動により、上部吸込口２０２から本体部２０の内部に取り込まれる。このとき、空間領域２０２ａ内において、空気や煙の流れが形成されるため、レーザー光源部５０のレーザー光によって表示される意匠が変化する。例えば、「タバコ」の文字の形状が縦長になったり、横長になったり、様々な形状に変化する。これにより、喫煙者８は、このような意匠の変化に関心を持ち、空間領域２０２ａに向けて煙草の煙を吐き出すように誘起することができる。したがって、分煙装置１０の本体部２０の内部に取り込まれる煙の収集効率を向上させることができ、より好適に煙草の煙の浄化処理を行うことができる。
【００３１】
次に、分煙装置１０の変形例である分煙装置１１について説明する。図４は、分煙装置１１の斜視図である。図５は、分煙装置１１の概略構成図である。分煙装置１１と分煙装置１０の相違は、上部吸込口２０２と煙センサ４０とレーザー光源部５０とが設けられる位置とスリット付きカバー２１２であるため、その相違点を中心に説明する。
【００３２】
上部吸込口２０２は、本体部２０の上部表面から陥没して形成される陥没領域２１１の下部側の底面に設けられる。上部吸込口２０２の開口面積は、陥没領域２１１の底面の面積とほぼ等しい。陥没領域２１１の底面の面積は、例えば、縦が３０ｃｍで横が６０ｃｍである。なお、陥没領域２１１の深さは、例えば、２０ｃｍである。もちろん、これの数値は、単なる例示であって適宜変更が可能である。
【００３３】
煙センサ４０とレーザー光源部５０とは、分煙装置１０のように枠部材３０に設けられるのではなく、図５に示されるように、陥没領域２１１の形成する本体部２０の上部表面（陥没した側の面）に対向して取り付けられる。なお、煙センサ４０とレーザー光源部５０とは、対向する位置関係に取り付けられるものとして説明するが、同一の上部表面（陥没した側の面）に設けられてもよい。
【００３４】
スリット付きカバー２１２は、陥没領域２１１を覆うように設けられるフードカバー部材である。スリット付きカバー２１２は、四角錐台形状を有し、各側面には、それぞれの面の長手方向に沿って形成される複数のスリット２１２ａが設けられている。喫煙者８が煙草９を吸った際に生じる煙は、当該スリット２１２ａを介して上部吸込口２０２側に吸引される。また、喫煙者８は、当該スリット２１２ａを介して陥没領域２１１を見ることができる。
【００３５】
続いて、上記構成の分煙装置１１の作用について説明する。分煙装置１１において、喫煙者８が煙草９を吸った際に吐き出す煙が陥没領域２１１とスリット付きカバー２１２の内側領域２１２ｂとあわせた空間領域の近傍に存在することが検知されたときに、レーザー光源部５０のレーザー光が陥没領域２１１及び内側領域２１２ｂの空気の粉塵や煙の微粒子等に照射されて、陥没領域２１１には、例えば、「タバコ」の文字を表示する所定の形状と赤色の色彩とを有する意匠が表示される。
【００３６】
そして、陥没領域２１１及び内側領域２１２ｂ内の空気や煙草の煙は、送風部２０６の作動により、上部吸込口２０２から本体部２０の内部に取り込まれる。このとき、陥没領域２１１及び内側領域２１２ｂ内において、空気や煙の流れが形成されるため、レーザー光源部５０のレーザー光によって表示される意匠が変化する。例えば、「タバコ」の文字の形状が縦長になったり、横長になったり、様々な形状に変化する。これにより、喫煙者８は、このような意匠の変化に関心を持ち、陥没領域２１１及び内側領域２１２ｂに向けて煙草の煙を吐き出すように誘起することができる。したがって、分煙装置１１の本体部２０の内部に取り込まれる煙の収集効率を向上させることができ、より好適に煙の浄化処理を行うことができる。
【００３７】
なお、上記分煙装置１１では、スリット付きカバー２１２が設けられるものとして説明したが、スリット付きカバー２１２が設けられずに、陥没領域２１１が露出した状態であってもよい。
【００３８】
また、上記分煙装置１０，１１では、煙センサ４０が設けられるものとして説明したが、煙センサ４０を設けずに、常時レーザー光源部５０からレーザー光が照射されるものとしてもよい。
【００３９】
また、上記文献装置１０，１１では、レーザー光源部５０のレーザー光によって表示される意匠は「タバコ」の文字であるとして説明したが、もちろん、文字に限らず、数字、模様等を組み合わせたものにすることが可能である。
【符号の説明】
【００４０】
８  喫煙者、９  煙草、１０，１１  分煙装置、２０  本体部、３０  枠部材、４０  煙センサ、５０  レーザー光源部、２０２  上部吸込口、２０２ａ  空間領域、２０４  空気清浄部、２０６  送風部、２０８  下部吹出口、２１０  キャスター、２１１  陥没領域、２１２  カバー、２１２ａ  スリット、２１２ｂ  内側領域、３０２  上側部材、３０２ａ  底面。
【図１】
2012189234.tif 000003
【図２】
2012189234.tif 000004
【図３】
2012189234.tif 000005
【図４】
2012189234.tif 000006
【図５】
2012189234.tif 000007